(57)【要約】  【課題】専用の部材を用いることなく、封筒の外袋内での遊動を抑制するレターセット等の複合商品セットを提供する。  【解決手段】便箋２と、封筒３と、所定の文字等が印字されたリーフレット５と、これら便箋２、封筒３及びリーフレット５を収容可能な収容空間６１ｓを有する外袋６とを具備してなり、リーフレット５に、封筒３が収容空間６１ｓ内で遊動することを規制する封筒保持手段Ｘを設けた。【選択図】図２
2007050570.tif 000002
【特許請求の範囲】
【請求項１】
用紙類等の第１被収容物と、当該第１被収容物よりも平面寸法が小さい第２被収容物と、所定の文字等が印字されたリーフレットと、これら第１被収容物、第２被収容物及びリーフレットを収容可能な収容空間を有する外袋とを具備してなる複合商品セットであって、
前記リーフレットに、前記第２被収容物が前記収容空間内で遊動することを規制する第２被収容物保持手段を設けていることを特徴とする複合商品セット。
【請求項２】
前記リーフレットが、前記収容状態において前記第１被収容物の裏面側に当てられる本体部と、当該本体部の端部から折り返してなり前記収容状態において前記第１被収容物及び前記第２被収容物の表面側に位置する第1折返部と、当該第１折返部の端部から延出し且つ前記収容状態において前記第２被収容物を抱きかかえ得るように折り返してなる第２折返部とを具備したものであり、
前記第２被収容物保持手段を、前記第２折返部を用いて構成している請求項１記載の複合商品セット。
【請求項３】
前記第２折返部が前記第２被収容物を横断する方向に抱きかかえ得るものであり、
前記第２被収容物の長手寸法と前記第２折返部のうち前記第２被収容物の長手方向に沿った寸法との和を、前記外袋の収容空間のうち前記第２被収容物の長手方向に沿った内法寸法よりも大きく設定している請求項２記載の複合商品セット。
【請求項４】
前記リーフレットが、前記収容状態において前記第１被収容物の裏面側に当てられる本体部と、当該本体部の端部から折り返してなり前記収容状態において前記第１被収容物及び前記第２被収容物の表面側に位置する第1折返部と、当該第１折返部の端部から延出し且つ前記収容状態において前記第２被収容物を横断する方向に抱きかかえ得るように折り返してなる第２折返部と、前記第１折返部の端部から延出し且つ前記収容状態において前記第２被収容物の短辺に当接又は近接し得るように折り返してなる第３折返部とを具備したものであり、
前記第２被収容物保持手段を、前記第２折返部及び前記第３折返部を用いて構成している請求項１記載の複合商品セット。
【請求項５】
前記第２折返部が前記第２被収容物を横断する方向に抱きかかえ得るものであり、
前記第１折返部の折り目と前記第２折返部の折り目との離間寸法を、前記第２被収容物の短手寸法に対して略同一又は若干大きく設定している請求項２、３又は４記載の複合商品セット。
【請求項６】
前記第1折返部に、前記収容状態において前記第２被収容物の表面側を視認し得えるようにした第２被収容物視認手段を設けている請求項２、３、４又は５記載の複合商品セット。
【請求項７】
第２被収容物視認手段が、前記第１折返部を所定形状に切り欠くことにより前記第２被収容物の表面側を視認し得るようにしたものである請求項６記載の複合商品セット。
【発明の詳細な説明】
【技術分野】
【０００１】
本発明は、便箋等の第１被収容物と封筒等の第２被収容物とをセットにしてなるレターセット等の複合商品セットに関するものである。
【背景技術】
【０００２】
従来より、便箋等の第１被収容物と封筒等の第２被収容物等、平面視寸法が相異なる商品を一の外袋に収容した種々のレターセット等の複合商品セットが知られている。このようなレターセットは、通常、寸法の異なる便箋と封筒とそれぞれ別個に積層した状態で外袋に収容されており、帯封等により束ねられた封筒が外袋内で不規則に遊動し得る状態となり、陳列時や購入後の収納時に煩雑な印象を与えるという不具合が生じる。
【０００３】
そこで、このような不具合に鑑み、封筒を保持するための複数のスリットを形成した一の台紙を、便箋及び封筒と共に外袋に収容するタイプのレターセットが考えられている（例えば特許文献１参照）。
【特許文献１】実用新案登録番号第３０４９３３５号公報（図２等参照）
【発明の開示】
【発明が解決しようとする課題】
【０００４】
しかしながら、前記特許文献記載の態様を採用した場合、封筒を保持するための専用の部材である台紙が必要であるため、部品点数が増えるとともに、台紙にスリットを形成しなければならず、手間が掛かるという問題が発生する。
【０００５】
一方、複数枚のプリンタ用紙を外袋に収容してなるプリンタ用紙セットにおいては、当該プリンタ用紙の商品名や説明等を印字した一枚刷りのリーフレットをプリンタ用紙と共に外袋に収容させている態様が知られている。この場合、リーフレットは単に説明書としてのみ機能しているに過ぎない。
【０００６】
このようなリーフレットに、レターセットの商品名や使用上の説明等を表示するとともに、封筒の遊動を抑制することができれば好適である。
【０００７】
本発明は、このような課題に着目してなされたものであって、主たる目的は、専用部材を用いることなく、封筒等の第２被収容物が外袋内で遊動することを抑制するレターセット等の複合商品セットを提供することにある。
【課題を解決するための手段】
【０００８】
すなわち、本発明の複合商品セットは、用紙類等の第１被収容物と、当該第１被収容物よりも平面寸法が小さい第２被収容物と、所定の文字等が印字されたリーフレットと、これら第１被収容物、第２被収容物及びリーフレットを収容可能な収容空間を有する外袋とを具備してなる複合商品セットであって、前記リーフレットに、前記第２被収容物が前記収容空間内で遊動することを規制する第２被収容物保持手段を設けていることを特徴とする。
【０００９】
ここで、第１被収容物は、用紙類であればどのようなものであってもよく、例えば便箋等が挙げられる。一方、第２被収容部は、第１被収容物よりも平面視寸法が小さくものであればどのようなものであってもよく、例えば、封筒、ＣＤやＤＶＤ等の記録媒体（一例としてテンプレート集が記録されたもの等）、第１被収容物よりもサイズが小さい用紙類（一例として第１収容物がＢ４サイズの用紙類の場合におけるＢ５サイズの用紙類等）、はがき、ラベル（一例として宛名シール等）が挙げられる。
【００１０】
このようなものであれば、第２被収容物保持手段により、第２被収容物が外袋の収容空間内で不規則に動くことを抑制するとともに、説明書として機能するリーフレットに第２被収容物保持手段を設けているため、従来のように封筒等の第２被収容物を保持するための専用の部材を別途用いる必要がない。
【００１１】
具体的な実施態様としては、前記リーフレットが、前記収容状態において前記第１被収容物の裏面側に当てられる本体部と、当該本体部の端部から折り返してなり前記収容状態において前記第１被収容物及び前記第２被収容物の表面側に位置する第1折返部と、当該第１折返部の端部から延出し且つ前記収容状態において前記第２被収容物を抱きかかえ得るように折り返してなる第２折返部とを具備したものであり、前記第２被収容物保持手段を、前記第２折返部を用いて構成しているものが挙げられる。このようなものであれば、リーフレット自体が簡素なものでありながら、第２被収容物を抱きかかえる第２折返部により、第２被収容物が外袋の収容空間内で不規則に動くことを抑制することができる。なお、第２折返部は、第２被収容物を横断する方向又は縦断する方向の何れか一方向、或いは両方向に抱きかかえ得るもの、何れのタイプであってもよい。
【００１２】
特に、前記第２折返部が前記第２被収容物を横断する方向に抱きかかえ得るものであり、前記第２被収容物の長手寸法と前記第２折返部のうち前記第２被収容物の長手方向に沿った寸法との和を、前記外袋の収容空間のうち前記第２被収容物の長手方向に沿った内法寸法よりも大きく設定していれば、第２被収容物を横断する方向に抱きかかえる第２折返部により第２被収容物の短手方向（横断方向）への遊動を規制することができるととともに、第２被収容物が長手方向（縦断方向）へ遊動した場合であっても第２被収容物が第２折返部から抜け出ることがなく、第２折返部による第２被収容物の良好な保持状態を維持することが可能である。
【００１３】
リーフレットの別の具体的な実施態様としては、前記リーフレットが、前記収容状態において前記第１被収容物の裏面側に当てられる本体部と、当該本体部の端部から折り返してなり前記収容状態において前記第１被収容物及び前記第２被収容物の表面側に位置する第1折返部と、当該第１折返部の端部から延出し且つ前記収容状態において前記第２被収容物を横断する方向に抱きかかえ得るように折り返してなる第２折返部と、前記第１折返部の端部から延出し且つ前記収容状態において前記第２被収容物の短辺に当接又は近接し得るように折り返してなる第３折返部とを具備したものであり、前記第２被収容物保持手段を、前記第２折返部及び前記第３折返部を用いて構成しているものが挙げられる。このようなものであれば、第２折返部により第２被収容物の短手方向（横断方向）に沿った移動を規制することができるとともに、第３折返部により第２被収容物の長手方向（縦断方向）に沿った移動を規制することができる。なお、第３折返部のうち、「第２被収容物の長手方向に沿った一端部に当接し得る」部位は、第３折返部の折り目であってもよく、第１折返部に対面し得る部位であってもよい。
【００１４】
収容状態における第２被収容物の短手方向への移動を確実に規制するには、前記第２折返部が前記第２被収容物を横断する方向に抱きかかえ得るものであり、前記第１折返部の折り目と前記第２折返部の折り目との離間寸法を、前記第２被収容物の短手寸法に対して略同一又は若干大きく設定すればよい。
【００１５】
収容状態において第１被収容物と共に第２被収容物も視認することができれば、複合商品セットのセット内容を正確に把握することができ、ユーザの利便性に寄与するとともに、購買意欲を惹起させ得る。そこで、本発明の複合商品セットは、前記第1折返部に、前記収容状態において前記第２被収容物の表面側を視認し得えるようにした第２被収容物視認手段を設けることとした。第２被収容物視認手段の好適な実施形態としては、前記第１折返部を所定形状に切り欠くことにより前記第２被収容物の表面側を視認し得るようにしたものが挙げられる。
【発明の効果】
【００１６】
以上説明したように本発明によれば、リーフレットに設けた第２被収容物保持手段により、封筒等の第２被収容物が外袋内で不規則に動くことを抑制するとともに、リーフレットを用いて第２被収容物の遊動を規制するため、従来のように封筒等の第２被収容物を保持するための専用の部材を別途用意する必要がない。
【発明を実施するための最良の形態】
【００１７】
以下、本発明の一実施形態を、図面を参照して説明する。
【００１８】
本実施形態に係る複合商品セットたるレターセット１は、図１及び図２（図１はレターセット１の全体斜視図であり、図２は同分解斜視図であり、図３は同平面図である。）に示すように、複数枚積層した本発明の第１被収容物たる便箋２と、これら便箋２を封入する本発明の第２被収容物たる複数の封筒３と、積層した便箋２の裏面側に当てられこれら便箋２の撓りを防止する単一の台紙４と、商品名や取扱上の説明等所定の文字や記号等が印字された単一のリーフレット５と、これら便箋２、封筒３、リーフレット５及び台紙４を収容する単一の外袋６とを備えたものである。
【００１９】
便箋２は、どのようなタイプのものであってもよく、本実施形態では、一例としてプリンタ等を利用して印刷可能な例えばＢ５サイズ等の標準規格を有するものを適用している。
【００２０】
複数の封筒３は、例えば透明のナイロン素材からなる帯部材７によって帯封されている。
【００２１】
台紙４は、例えば厚紙からなり、積層した便箋２のうち最も裏面側に位置する便箋２の裏面に当てられるものであり、平面寸法を便箋２の平面寸法に略対応させている。
【００２２】
リーフレット５は、表面部に商品名や便箋に印字する際の注意事項等、所定の文字や記号、図形等を印字したものであり、本実施形態では、このリーフレットに、封筒３が外袋６の収容空間６１ｓ内で遊動することを規制する本発明の第２被収容物保持手段たる封筒保持手段Ｘを設けている。具体的には、図４（同図（ａ）はリーフレット５の平面図であり、同図（ｂ）は同平面展開図である。）に示すように、例えば便箋２よりも厚み寸法が大きい紙素材からなり、外袋６に収容した収容状態において台紙４を介して便箋２の裏面側に当てられる本体部５１と、本体部５１の端部５１ａから折り返してなり収容状態において便箋２及び封筒３の表面側に位置する第1折返部５２と、第１折返部５２の端部５２ａから延出し且つ収容状態において封筒３を横断する方向に抱きかかえ得るように折り返してなる第２折返部５３とを一体に有するものである。
【００２３】
本体部５１は、その平面寸法を便箋２の平面寸法に略対応させたものである。
【００２４】
第１折返部５２は、本体部５１の一方の長辺（図示例では右側辺）５１ａから第１折り目５２１を介して外側方に向かって延出するものであり、本実施形態では、第１折返部５２のうち延出端側の端部５２ａを平面視略部分円弧状に切り欠いた形状にしている。
【００２５】
第２折返部５３は、第１折返部５２の延出端側の端部５２ａにおける下端部位からさらに外側方に向かって延出する平面視略帯状のものであり、第１折返部５２の第１折り目５２１から所定距離離間した位置に、第１折り目５２１と平行をなす第２折り目５３１を形成している。本実施形態では、第１折り目５２１と第２折り目５３１との離間寸法を、封筒３の短手寸法３ｙより若干大きく設定している。なお、第１折り目５２１には、便箋２、封筒３及び台紙４を積層した厚み寸法に対応する第１折代５２２を形成し、第２折り目５３１には、積層した封筒３の厚み寸法に対応する第２折代５３２を形成している（図４（ｂ）参照）。また、第２折返部５３の延出方向に直交する方向（図示例では上下方向）に沿った寸法５３ｘを、当該寸法５３ｘと封筒３の長手寸法３ｘとの和が、後述する外袋６の収容空間６１ｓの長手方向に沿った寸法６１ｘよりも大きくなるように設定している。しかして本実施形態では、前記封筒保持手段Ｘを第２折返部５３を用いて構成している。
【００２６】
外袋６は、例えば透明のポリプロピレンからなり、一方の短辺（図示例では下辺）６１ａ側に開放可能な収容空間６１ｓを有する袋体６１と、袋体６１の上端部に設けられ陳列時等に図示しない所定の吊り金具に挿し通される挿通孔６２ａを形成した吊り部６２とを備えた一体成型品である。本実施形態では、袋体６１の収容空間６１ｓの内法寸法（平面内法寸法）を、便箋２の平面寸法より若干大きく設定している。また、袋体６１は、一方の短辺６１ａに舌片部６１１を設け、この舌片部６１１と、袋体６１の裏面側に塗着したテープ糊等の図示しない接着部との接着状態を適宜解除することにより、収容空間６１ｓを一方の短辺６１ａ側に開放し得る周知のものである。吊り部６２の挿通孔６２ａは、後述する外袋６に対する封筒３の収容位置を考慮して吊り部６２の中心に対して偏心させた位置に形成し、これにより、挿通孔６２ａに吊り金具を挿通した状態でレターセット１全体の良好なバランス状態を保つことができ、陳列した状態の美観を損ねることがないようにしている。すなわち、リーフレット５に設けた封筒保持手段Ｘにより封筒３の収容位置が位置決めされ、レターセット１全体の重心が定まるため、挿通孔６２ａの形成箇所を容易かつ的確に決定することができる。
【００２７】
次に、上述した便箋２、封筒３、台紙４、リーフレット５を外袋６に収容する手順及び本発明のレターセット１の作用について説明する。
【００２８】
先ず、展開状態にあるリーフレット５の本体部５１に台紙４を載置し、この台紙４に所定枚数積層した便箋２を載置するとともに、展開状態にあるリーフレット５の第１折返部５２に帯封した封筒３を載置する。次いで、第２折り目５３１に沿って第２折返部５３を谷折りすることにより第２折返部５３を封筒３を横断する方向に巻回させ、引き続き、第１折り目５２１に沿って第１折返部５２を谷折りすると、封筒３が便箋２の表面側に位置し、これら封筒３及び便箋２の表面側に第１折返部５２が位置する。なお、第１折返部５２の端部５２ａを平面視略円弧状に切り欠いているため、封筒３の表面側の一部が表出して視認可能な状態となる。このように、本実施形態に係るレターセット１は、第１折返部５２に、収容状態において封筒３の表面側を視認し得えるようにした本発明の第２被収容物視認手段たる封筒視認手段を設けている。この状態においてリーフレット５の第１折り目５２１と第２折り目５３１との間に封筒３が位置している。最後に、積層状態にあるリーフレット５、台紙４、便箋２及び封筒３を、外袋６の袋体６１に形成した収容空間６１ｓに収容し、袋体６１の舌片部６１１により収納空間６１ｓを閉止することにより一のレターセット１が完成する。
【００２９】
この収容状態において、リーフレット５の第１折り目５２１と第２折り目５３１との間に封筒３が位置しているため、封筒３の短手方向への移動が規制されている。また、収容状態において封筒３が長手方向に若干移動し得るが、封筒３の長手寸法３ｘと、第２折返部５３の延出方向に直交する方向（図示例では上下方向）に沿った寸法３ｘ、すなわち第２折返部５３のうち封筒３の長手方向に沿った寸法５３ｘとの和を、外袋６の収容空間６１ｓのうち封筒３の長手方向に沿った内法寸法６１ｘよりも大きくなるように設定しているため、封筒３が長手方向に沿って移動した場合であっても、封筒３が第２折返部５３を乗り越える前に袋体６１の上端部に当接し、第２折返部５３による封筒３の保持状態が解除されることがない。本実施形態では、外袋６に対する封筒３の収容位置が右側に偏るため、外袋６の吊り部６２の挿通孔６２ａを吊り部６２の中心に対して右側に変位した位置に形成している。
【００３０】
なお、便箋２及び封筒３を使用する場合には、リーフレット５と共に封筒３及び便箋２を外袋６から取り出し、リーフレット５を展開状態にした後、封筒３及び便箋２をそれぞれ必要な枚数だけ取り出せばよい。
【００３１】
このように、本実施形態に係るレターセット１は、リーフレット５に、封筒３が収容空間６１ｓ内で遊動することを規制する封筒保持手段Ｘを第２折返部５３を用いて構成したものであるため、封筒保持手段Ｘ（第２折返部５３）により、封筒３が外袋６内で不規則に動くことを抑制するとともに、説明書等として機能するリーフレット５に封筒保持手段Ｘ（第２折返部５３）を設けているため、封筒３を収容空間６１ｓ内で保持するための専用の部材を別途用意する必要がなく、最小限の構成部材でレターセット１を構成することができる。
【００３２】
特に、リーフレット５が、収容状態において便箋２の裏面側に当てられる本体部５１と、本体部５１の端部から折り返してなり収容状態において便箋２及び封筒３の表面側に位置する第1折返部５２と、第１折返部５２の端部から延出し且つ収容状態において封筒３を抱きかかえ得るように折り返してなる第２折返部５３とを具備したものであるため、リーフレット５自体の形状を単純なものとして製作容易化及びコストの削減を有効に図るとともに、第２折返部５３により封筒３が収容空間６１ｓ内で遊動することを規制することができる。
【００３３】
さらに、第２折返部５３が封筒３を横断する方向に抱きかかえ得るものであり、封筒３の長手寸法３ｘと第２折返部５３のうち封筒３の長手方向に沿った寸法５３ｘとの和を、外袋６の収容空間６１ｓのうち封筒３の長手方向に沿った内法寸法６１ｘよりも大きく設定しているため、封筒３の短手方向への遊動を第２折返部５３により規制するとともに、封筒３が長手方向へ遊動した場合であっても封筒３が第２折返部５３から抜け出ることを確実に防止する。
【００３４】
加えて、第１折返部５２の折り目５２１と第２折返部５３の第２折り目５３１との離間寸法を、封筒３の短手寸法３ｙより若干大きく設定しているため、封筒３の短手方向への移動を最小限に抑えることができる。
【００３５】
また、本発明に係るレターセット１は、リーフレット５の第１折返部５３を所定形状（図示例では平面視略部分円弧状）に切り欠くことにより収容状態において封筒３の表面側を視認し得るようにした封筒視認手段を備えているため、陳列時にユーザが封筒の大きさや柄をも正確に把握することができ、レターセット１の内容を的確に理解した上で購入することができ、ユーザの利便性に寄与するとともに、購買意欲を惹起させ得る。しかも、第１折返部５３を所定形状に切り欠くという極めて単純な加工により封筒視認手段を具現化することができ好適である。
【００３６】
なお、本発明は、以上に詳述した実施形態に限られるものではない。
【００３７】
例えば、上記実施形態では、収容状態において便箋の長手方向と封筒の長手方向とが一致する態様を示したが、これに限らず、収容状態において便箋の長手方向と封筒の短手方向とが一致する態様を採用してもよい。この場合、リーフレットの第１折返部を、本体部の一方の短辺から第１折り目を介して延出させ、第２折返部を、第１折返部の延出端側の端部における所定部位から延出し且つ収容状態において封筒を横断する方向に抱きかかえ得るように折り返してなるものとし、封筒の長手寸法と第２折返部のうち封筒の長手方向に沿った寸法との和を、外袋の収容空間のうち封筒の長手方向に沿った内法寸法（換言すれば、外袋の収容空間のうち便箋の短手方向に沿った内法寸法）よりも大きく設定すれば、前記実施形態と同様に、封筒が封筒の長手方向に沿って遊動した場合であっても第２折返部から抜け出ることを確実に防止することができる。
【００３８】
また、以下に示す変形例に係るリーフレットＡ５を適用したレターセットＡ１を採用してもよい。なお、変形例に係るレターセットＡ１に適用されるリーフレットＡ５以外の部材は、前記実施形態に係る部材を適用しており、特に断りがない限り前記実施形態における各部材にそれぞれ対応する部材には同一の符号を付すとともに、リーフレットＡ５は、特に断りがない限り前記実施形態におけるリーフレット５の各部位に略対応する部位にそれぞれ符号の頭に「Ａ」を付すこととする。
【００３９】
〈変形例〉
変形例に係るレターセットＡ１に適用されるリーフレットＡ５は、図５（同図（ａ）はリーフレットＡ５の平面図であり、同図（ｂ）は同平面展開図である。）に示すように、収容状態において本発明の第１被収容物たる便箋２の裏面側に当てられる本体部Ａ５１と、本体部Ａ５１の端部Ａ５１ａから折り返してなり収容状態において便箋２及び本発明の第２被収容物たる封筒３の表面側に位置する第1折返部Ａ５２と、第１折返部Ａ５２の端部Ａ５２ａから延出し且つ収容状態において封筒３を横断する方向に抱きかかえ得るように折り返してなる第２折返部５３と、第１折返部Ａ５２の端部Ａ５２ａから延出し且つ収容状態において封筒３の短辺（図示例では上辺）３ａに当接又は近接し得るように折り返してなる第３折返部Ａ５４とを具備したものであり、封筒保持手段ＡＸを、第２折返部５３及び第３折返部Ａ５４を用いて構成している。
【００４０】
本体部Ａ５１、第１折返部Ａ５２及び第２折返部Ａ５３は、前記実施形態におけるそれぞれと略同一の形状であるため、詳細な説明は省略する。
【００４１】
第３折返部Ａ５４は、第１折返部Ａ５２の延出端側の端部Ａ５２ａにおける上端部からさらに外側方に向かって延出し、第１折返部Ａ５２ａの第１折り目Ａ５２１から所定距離離間した位置に、第１折り目Ａ５２１と平行をなす第３折り目Ａ５４１を形成している。本実施形態では、この第３折り目Ａ５４１を第２折り目Ａ５３１よりも第１折り目Ａ５２１に近寄った位置に形成している。また、第３折返部Ａ５４は、第３折り目Ａ５４１を境にして、延出方向に沿って下辺が漸次下方に延びる形状に設定している。
【００４２】
そして、前記実施形態に示すレターセット１と略同様の手順で便箋２、封筒３、台紙４、リーフレットＡ５を外袋６に収容する。前記実施形態と異なる点は、リーフレットＡ５の第１折返部Ａ５２に封筒３を載置した後、第２折り目Ａ５３１に沿って第２折返部Ａ５３を谷折りするとともに、第３折り目Ａ５４１に沿って第３折返部Ａ５４を谷折りする点である。これにより、第３折返部Ａ５４の第３折り目Ａ５４１の下縁部Ａ５４１ａが封筒３の上辺３ａに当接又は近接し、第３折返部Ａ５４が封筒３の裏面側に位置する。上記手順を経た後、上記実施形態と同様の手順により一のレターセット１が完成する。
【００４３】
この収容状態において、リーフレットＡ５の第１折り目Ａ５２１と第２折り目Ａ５３１との間に封筒３が位置し、第２折返部Ａ５３により封筒３の短手方向に沿った移動が規制されるとともに、第３折返部Ａ５４の第３折り目Ａ５４１の下縁部Ａ５４１ａが封筒３の上辺３ａに当接又は近接し、第３折返部Ａ５４により封筒３の長手方向に沿った移動も規制される。このように、本変形例に係るリーフレットＡ５を用いることにより、外袋６の収容空間６１ｓに収容した封筒３が収容空間６１ｓ内で不規則に移動することをより確実に規制することができる。
【００４４】
なお、第３折返部Ａ５４を略帯状にし、第３折返部Ａ５４の下縁部全体及び第３折り目Ａ５４１の下縁部Ａ５４１ａが封筒３の上辺３ａに当接又は近接し得るようにしてもよい。
【００４５】
また、当該変形例においても、収容状態において便箋の長手方向と封筒の短手方向とが一致する態様を採用して構わない。この場合、リーフレットの第１折返部を、本体部の一方の短辺から第１折り目を介して延出させ、第２折返部を、第１折返部の延出端側の端部における所定部位から延出し且つ収容状態において封筒を横断する方向に抱きかかえ得るように折り返してなるものとし、第３折返部を、第１折返部の端部から延出し且つ収容状態において封筒の短辺に当接又は近接し得るように折り返したものとすればよい。
【００４６】
さらに、第１折返部Ａ５２を所定形状（例えば平面視略部分円弧状）に切り欠くことにより収容状態において封筒３の表面側を視認し得るようにした第２被収容物視認手段たる封筒視認手段を備えたものとしてもよい。
【００４７】
また、前記実施形態及び変形例に共通する変形態様として、例えば、リーフレットの第２折返部が、封筒を縦断する方向に抱きかかえ得るもの、又は封筒を横断する方向及び縦断する方向に抱きかかえ得るものを採用してもよい。
【００４８】
また、袋体の収納空間が開放する方向は特に限定されるものはなく、封筒、便箋の平面形状も特に限定されるものではない。なお、複数種類の封筒を収容空間に収容する態様を採用する場合、複数種類の封筒のうち最も平面寸法の大きい封筒に対応させてリーフレットの各部の寸法を設定すればよい。
【００４９】
さらに、リーフレットをある程度硬い紙素材から形成すれば、このリーフレットを便箋の撓りを防止する台紙としても機能させることができ、この場合、前記実施形態における台紙が不要となり、部品点数の簡素化を有効に図ることができる。
【００５０】
また、封筒として、帯部材により予め帯封されたものを図示したが、第２被収容物保持手段（封筒保持手段）によって複数の封筒を束ねることが可能であるため、帯部材を用いなくてもよく、部品点数の簡素化を図ることができる。特に、リーフレットが厚紙等の比較的硬い素材であれば、第２被収容物保持手段による封筒の束ね具合もより良好なものとなる。このように、本発明におけるリーフレットは、説明書としての機能に加え、第２被収容物を束ねる帯部材としても機能する。
【００５１】
また、収容状態における封筒の短手方向への移動をより確実に規制するには、第１折返部の折り目と前記第２折返部の折り目との離間寸法を、封筒の短手寸法と略同一に設定すればよい。
【００５２】
さらに、封筒の長手寸法を収容空間の内法長手寸法又は内法短手寸法と略同一に設定し、封筒の長手方向を、当該長手寸法と略同一寸法の収容空間の長手又は短手方向に沿うように収容空間に収容するとともに、リーフレットの第２折返部が、封筒を横断する方向に抱きかかえ得るものであれば、収容状態において、封筒の長手方向及び短手方向に沿った移動をともに規制することができ、好適である。
【００５３】
第２被収容物視認手段（封筒視認手段）を実現する一態様として、第１折返部を平面視部分円弧状に切り欠いた態様を示したが、切り欠く形状は部分円弧状に限られないのはもちろんである。また、第２被収容物視認手段として、第１折返部に平面視略円状等の所定形状の抜き加工を施すことにより収容状態において封筒の表面側を視認し得るようにしたものであってもよい。さらに、第２被収容物視認手段が、第１折返部を透明又は半透明のものとすることにより収容状態において封筒の表面側を視認し得るようにしたものであっても構わない。この場合、第１折返部に切欠加工又は抜き加工を施す必要がなく、製作工程の簡素化に資する。
【００５４】
リーフレットに、封筒の所定部位（例えば角部等）が挿し込み可能な一又は複数のスリットを形成し、封筒保持手段をこのスリットを用いて構成しても構わない。
【００５５】
さらに、第１被収容物として、便箋以外の用紙類（例えばプリンタ用紙）を採用してもよい。一方、第２被収容物は、第１被収容物よりも平面視寸法が小さくものであればどのようなものであってもよく、封筒の他、例えば、ＣＤやＤＶＤ等の記録媒体（一例としてテンプレート集が記録されたもの等）、第１被収容物よりもサイズが小さい用紙類（一例として第１収容物がＢ４サイズの用紙類の場合におけるＢ５サイズの用紙類等）、はがき、ラベル（一例として宛名シール等）が挙げられる。このように、本発明の複合商品セットは、相異なるサイズの商品を外袋の収容空間に収容するものであればよく、レターセットに限られるものではないことはいうまでもない。
【００５６】
その他、各部の具体的構成についても上記実施形態に限られるものではなく、本発明の趣旨を逸脱しない範囲で種々変形が可能である。
【図面の簡単な説明】
【００５７】
【図１】本発明の一実施形態に係るレターセットの全体斜視図。
【図２】同実施形態に係るレターセットの分解斜視図。
【図３】同実施形態に係るレターセットの平面図。
【図４】同実施形態におけるリーフレットの平面図。
【図５】本発明の一変形例におけるリーフレットを図４に対応して示す図。
【図６】同変形例に係るレターセットを図３に対応して示す図。
【符号の説明】
【００５８】
１、Ａ１…複合商品セット（レターセット）
２…第１被収容物（便箋）
３…第２被収容物（封筒）
３ａ…（封筒の）短辺
５、Ａ５…リーフレット
５１、Ａ５１…本体部
５２、Ａ５２…第1折返部
５２１、Ａ５２１…第１折り目
５３、Ａ５３…第２折返部
５３１、Ａ５３１…第２折り目
６…外袋
６１ｓ…収容空間
Ａ５４…第３折返部
Ｘ、ＡＸ…第２被収容物保持手段（封筒保持手段）
【図１】
2007050570.tif 000003
【図２】
2007050570.tif 000004
【図３】
2007050570.tif 000005
【図４】
2007050570.tif 000006
【図５】
2007050570.tif 000007
【図６】
2007050570.tif 000008